(57)【要約】【課題】可搬型記憶媒体に記憶されている医用画像を容易に利用可能とする。【解決手段】病院情報管理装置１０と画像サーバ２０とが通信ネットワークＮを介してデータ通信可能に接続されている医用画像システム１００であって、病院情報管理装置１０は、可搬媒体４０に記憶されている医用画像データの登録を指示する登録オーダ情報を画像サーバ２０に送信する。画像サーバ２０は、病院情報管理装置１０から送信された登録オーダ情報に基づいて、可搬媒体４０に記憶されている医用画像データを読み出し、読み出された医用画像データを登録オーダ情報と対応付けて記憶装置２６に記憶させる。これにより、病院情報管理装置１０から記憶装置２６に記憶されている医用画像データを参照可能となる。【選択図】図１
2008234288.tif 000002
【特許請求の範囲】
【請求項１】
病院情報管理装置と画像サーバとが通信ネットワークを介してデータ通信可能に接続されている医用画像システムであって、
前記病院情報管理装置は、前記画像サーバに対して可搬型記憶媒体に記憶されている医用画像の登録を指示する登録オーダ情報を入力するための入力部と、前記入力された登録オーダ情報を前記画像サーバに送信する送信部と、を備え、
前記画像サーバは、前記病院情報管理装置から送信された登録オーダ情報に基づいて、前記可搬型記憶媒体に記憶されている医用画像を読み出し、当該読み出された医用画像を前記登録オーダ情報と対応付けて記憶部に記憶させる制御部を備え、
前記病院情報管理装置は、さらに、前記登録オーダ情報に基づいて、前記記憶部に記憶されている医用画像を取得し、当該取得された医用画像を表示部に表示させる制御部を備える医用画像システム。
【請求項２】
病院情報管理装置と画像サーバとが通信ネットワークを介してデータ通信可能に接続されている医用画像システムであって、
前記病院情報管理装置は、医用画像及び当該医用画像の関連情報が記憶されている可搬型記憶媒体から前記関連情報を読み出し、当該読み出された関連情報に基づいて、前記画像サーバに対して前記可搬型記憶媒体に記憶されている医用画像の登録を指示する登録オーダ情報を生成する制御部と、前記生成された登録オーダ情報を前記画像サーバに送信する送信部と、を備え、
前記画像サーバは、前記病院情報管理装置から送信された登録オーダ情報に基づいて、前記可搬型記憶媒体に記憶されている医用画像を読み出し、当該読み出された医用画像を前記登録オーダ情報と対応付けて記憶部に記憶させる制御部を備え、
前記病院情報管理装置の制御部は、さらに、前記登録オーダ情報に基づいて、前記記憶部に記憶されている医用画像を取得し、当該取得された医用画像を表示部に表示させる医用画像システム。
【発明の詳細な説明】
【技術分野】
【０００１】
本発明は、医用画像システムに関し、特に、可搬型記憶媒体に記憶された医用画像を利用する医用画像システムに関する。
【背景技術】
【０００２】
近年、医療の分野では、患者を撮影した医用画像のデジタル化が実現されている。例えば、ＣＲ（Computed Radiography）装置、ＣＴ（Computed Tomography）装置、ＭＲＩ（Magnetic Resonance Imaging）装置等の画像生成装置（モダリティ）により撮影され、デジタル化された医用画像は、患者情報や検査情報等とともにＰＡＣＳ（Picture Archiving and Communication System）に保存され、管理されている。
【０００３】
具体的には、ＨＩＳ（Hospital Information System：病院情報システム）やＲＩＳ（Radiological Information System：放射線情報システム）から患者情報や検査情報を含む撮影オーダ情報がモダリティに送信され、モダリティは、撮影技師の操作に従ってその撮影オーダ情報に基づいた撮影を行う。そして、その撮影によって得られた医用画像を、ＤＩＣＯＭ（Digital Imaging and Communications in Medicine）規格に基づいたデータ形式で生成した後に、ＰＡＣＳに転送する。ＨＩＳやＲＩＳでは、患者情報や検査情報に基づいて、ＰＡＣＳに保存されている医用画像を参照することができる。
【０００４】
患者が複数の医療機関を利用する場合には、複数の医療機関相互間において同じ患者の診療情報を交換できると便利である。そのような例として、複数の医療機関がインターネットを介してデータ送受信可能に構成されている医療機関連携システムにおいて、診療情報等について電子メールで情報交換を行うことが提案されている（特許文献１参照）。
【０００５】
また、ＰＡＣＳで管理される医用画像を他のシステムや一般患者へ提供する方法として、ネットワークによる提供とは別に、ＩＨＥ（Integrating the Healthcare Enterprise）におけるＰＤＩ（Portable Data for Imaging）に対応した可搬型の記憶媒体による提供も行われている。これは、医用画像をＣＤ−Ｒ（Compact Disk Recordable）やＤＶＤ−Ｒ（Digital Versatile Disk Recordable）等の記憶媒体に保存し、記憶媒体を搬送することによりデータの移送を行うものである。また、ＰＤＩでは、記憶媒体におけるディレクトリ構成や索引ファイル等も規定されており、異なる医療機関の間でのデータ交換が保証されている。
【特許文献１】特開２００３−３０３３８号公報
【発明の開示】
【発明が解決しようとする課題】
【０００６】
しかし、可搬型記憶媒体を介して他の医療機関から医用画像が持ち込まれた場合、その医用画像は他の医療機関で撮影されたものであるため、持ち込み先の新たな医療機関では患者情報や検査情報が登録されておらず、画像サーバに画像が取り込まれた場合であっても、新たな医療機関において患者情報や検査情報に基づいて画像を参照することはできなかった。
【０００７】
本発明は上記の従来技術における問題に鑑みてなされたものであって、可搬型記憶媒体に記憶されている医用画像を容易に利用することができる医用画像システムを提供することを課題とする。
【課題を解決するための手段】
【０００８】
上記課題を解決するために、請求項１に記載の発明は、病院情報管理装置と画像サーバとが通信ネットワークを介してデータ通信可能に接続されている医用画像システムであって、前記病院情報管理装置は、前記画像サーバに対して可搬型記憶媒体に記憶されている医用画像の登録を指示する登録オーダ情報を入力するための入力部と、前記入力された登録オーダ情報を前記画像サーバに送信する送信部と、を備え、前記画像サーバは、前記病院情報管理装置から送信された登録オーダ情報に基づいて、前記可搬型記憶媒体に記憶されている医用画像を読み出し、当該読み出された医用画像を前記登録オーダ情報と対応付けて記憶部に記憶させる制御部を備え、前記病院情報管理装置は、さらに、前記登録オーダ情報に基づいて、前記記憶部に記憶されている医用画像を取得し、当該取得された医用画像を表示部に表示させる制御部を備える。
【０００９】
請求項２に記載の発明は、病院情報管理装置と画像サーバとが通信ネットワークを介してデータ通信可能に接続されている医用画像システムであって、前記病院情報管理装置は、医用画像及び当該医用画像の関連情報が記憶されている可搬型記憶媒体から前記関連情報を読み出し、当該読み出された関連情報に基づいて、前記画像サーバに対して前記可搬型記憶媒体に記憶されている医用画像の登録を指示する登録オーダ情報を生成する制御部と、前記生成された登録オーダ情報を前記画像サーバに送信する送信部と、を備え、前記画像サーバは、前記病院情報管理装置から送信された登録オーダ情報に基づいて、前記可搬型記憶媒体に記憶されている医用画像を読み出し、当該読み出された医用画像を前記登録オーダ情報と対応付けて記憶部に記憶させる制御部を備え、前記病院情報管理装置の制御部は、さらに、前記登録オーダ情報に基づいて、前記記憶部に記憶されている医用画像を取得し、当該取得された医用画像を表示部に表示させる。
【発明の効果】
【００１０】
請求項１に記載の発明によれば、病院情報管理装置において入力された登録オーダ情報に基づいて、可搬型記憶媒体から読み出した医用画像を登録オーダ情報と対応付けることができるので、可搬型記憶媒体に記憶されている医用画像を容易に利用することができる。
【００１１】
請求項２に記載の発明によれば、病院情報管理装置において生成された登録オーダ情報に基づいて、可搬型記憶媒体から読み出した医用画像を登録オーダ情報と対応付けることができるので、可搬型記憶媒体に記憶されている医用画像を容易に利用することができる。また、可搬型記憶媒体に記憶されている医用画像の関連情報に基づいて登録オーダ情報を生成するので、データの入力ミスを防ぐことができる。
【発明を実施するための最良の形態】
【００１２】
［第１の実施の形態］
まず、本発明に係る第１の実施の形態における医用画像システムの好適な一例について説明する。
図１に、医用画像システム１００のシステム構成を示す。図１に示すように、医用画像システム１００は、病院情報管理装置１０と、画像サーバ２０と、モダリティ３０とがＬＡＮ（Local Area Network）等の通信ネットワークＮを介して接続され、それぞれがデータ通信可能に構成されている。
【００１３】
病院情報管理装置１０は、内科、外科、皮膚科等の各診療科の医師によって使用される装置であって、患者単位で問診、所見、診断、過去の病歴等の情報管理を行う。例えば、病院情報管理装置１０は、モダリティ３０に対して撮影を指示する撮影オーダ情報を送信する。撮影オーダ情報には、オーダ番号、依頼部門、依頼者、撮影実施予定日、患者情報（患者ＩＤ、氏名、性別、生年月日等）、撮影装置、手技、部位、方向、体位、撮影技師等が含まれる。モダリティ３０により生成された医用画像の画像データ（以下、「医用画像データ」という。）は、画像サーバ２０に送信され、記憶装置２６に記憶される。
【００１４】
また、病院情報管理装置１０は、画像サーバ２０に対して可搬型記憶媒体（以下、「可搬媒体」という。）４０に記憶されている医用画像データの登録を指示する登録オーダ情報を送信する。登録オーダ情報には、オーダ番号、依頼部門、依頼者、撮影実施日、患者情報（患者ＩＤ、氏名、性別、生年月日等）、撮影装置、手技、部位、方向、体位、撮影技師等が含まれる。画像サーバ２０において、可搬媒体４０から読み出された医用画像データは、記憶装置２６に記憶される。
【００１５】
なお、ここでは、病院情報管理装置１０を単一の装置として説明するが、通信ネットワークＮを介して接続された複数のクライアント端末装置からデータの入力や参照が可能なシステムを構成するものであってもよく、一般的には、ＨＩＳで構成される。
【００１６】
図２に、病院情報管理装置１０の機能的構成を示す。図２に示すように、病院情報管理装置１０は、制御部１１、入力部１２、表示部１３、通信部１４、メディアドライブ１５、記憶部１６等を備えて構成され、各部はバス１７により接続されている。
【００１７】
制御部１１は、ＣＰＵ（Central Processing Unit）、ＲＯＭ（Read Only Memory）、ＲＡＭ（Random Access Memory）等から構成され、病院情報管理装置１０の各部の処理動作を統括的に制御する。具体的には、ＣＰＵは、入力部１２から入力される操作信号又は通信部１４により受信される指示信号に応じて、ＲＯＭに記憶されている各種処理プログラムを読み出し、ＲＡＭ内に形成されたワークエリアに展開し、当該プログラムとの協働により各種処理を行う。
【００１８】
入力部１２は、カーソルキー、数字入力キー、及び各種機能キー等を備えたキーボードと、マウス等のポインティングデバイスを備えて構成され、キーボードに対するキー操作やマウス操作により入力された操作信号を制御部１１に出力する。例えば、入力部１２は、画像サーバ２０に対して可搬媒体４０に記憶されている医用画像データの登録を指示する登録オーダ情報を入力する際に用いられる。
【００１９】
表示部１３は、ＬＣＤ（Liquid Crystal Display）により構成され、制御部１１から入力される表示データに基づいて各種画面を表示する。
【００２０】
通信部１４は、ＬＡＮアダプタ、ルータ、ＴＡ（Terminal Adapter）等を備え、通信ネットワークＮを介して接続された画像サーバ２０、モダリティ３０等の外部機器との間でデータの送受信を行う。例えば、通信部１４は、登録オーダ情報を画像サーバ２０に送信する。
【００２１】
メディアドライブ１５は、可搬媒体４０に記憶されているデータを読み出す。
【００２２】
記憶部１６は、ハードディスク等の記憶装置であり、撮影オーダ情報や登録オーダ情報等のデータを記憶する。
【００２３】
制御部１１は、登録オーダ情報に基づいて、画像サーバ２０の記憶装置２６に記憶されている医用画像データを取得し、取得された医用画像データに基づいて医用画像を表示部１３に表示させる。
【００２４】
画像サーバ２０は、医用画像データ及びその関連情報等を保存し、管理する。関連情報は、医用画像データに関連する情報であって、患者情報（患者ＩＤ、氏名、性別、生年月日等）、検査情報（検査日付、検査時刻、検査インスタンスＵＩＤ、受付番号、撮影技師、依頼者、依頼部門等）、シリーズ情報（撮影装置、手技、部位）等が含まれる。
【００２５】
図３に、画像サーバ２０の機能的構成を示す。図３に示すように、画像サーバ２０は、制御部２１、入力部２２、表示部２３、通信部２４、メディアドライブ２５、記憶装置２６等を備えて構成され、各部はバス２７により接続されている。
【００２６】
制御部２１は、ＣＰＵ、ＲＯＭ、ＲＡＭ等から構成され、画像サーバ２０の各部の処理動作を統括的に制御する。具体的には、ＣＰＵは、入力部２２から入力される操作信号又は通信部２４により受信される指示信号に応じて、ＲＯＭに記憶されている各種処理プログラムを読み出し、ＲＡＭ内に形成されたワークエリアに展開し、当該プログラムとの協働により各種処理を行う。
【００２７】
入力部２２は、カーソルキー、数字入力キー、及び各種機能キー等を備えたキーボードと、マウス等のポインティングデバイスを備えて構成され、キーボードに対するキー操作やマウス操作により入力された操作信号を制御部２１に出力する。
【００２８】
表示部２３は、ＬＣＤにより構成され、制御部２１から入力される表示データに基づいて各種画面を表示する。
【００２９】
通信部２４は、ＬＡＮアダプタ、ルータ、ＴＡ等を備え、通信ネットワークＮを介して接続された病院情報管理装置１０、モダリティ３０等の外部機器との間でデータの送受信を行う。例えば、通信部２４は、病院情報管理装置１０から要求された医用画像データを病院情報管理装置１０に送信する。
【００３０】
メディアドライブ２５は、可搬媒体４０に記憶されているデータを読み出す。
【００３１】
記憶装置２６は、ハードディスク等から構成され、モダリティ３０により生成された医用画像データ、可搬媒体４０から読み出した医用画像データ、各医用画像データに対応する関連情報、病院情報管理装置１０から送信された登録オーダ情報等を記憶する。
【００３２】
制御部２１は、病院情報管理装置１０から送信された登録オーダ情報に基づいて、メディアドライブ２５を介して可搬媒体４０に記憶されている医用画像データを読み出し、読み出された医用画像データを登録オーダ情報と対応付けて記憶装置２６に記憶させる。
【００３３】
モダリティ３０は、病院情報管理装置１０から送信された撮影オーダ情報に基づいて、患者を撮影し、ＤＩＣＯＭ規格に則った医用画像データを生成し、生成した医用画像データを画像サーバ２０に送信する。医用画像データには、当該医用画像データに対応する関連情報が付帯される。モダリティ３０としては、ＣＲ装置、ＣＴ装置、ＭＲＩ装置、内視鏡装置、超音波診断装置等、様々な種類の医用画像を撮影するモダリティが適用可能である。
【００３４】
可搬媒体４０は、ＣＤ−ＲやＤＶＤ−Ｒ等の可搬型の記憶媒体であって、他の医療機関で撮影され、ＤＩＣＯＭ規格に則って生成された医用画像データ及び当該医用画像データの関連情報が記憶されたものである。可搬媒体４０に記憶されているデータはＰＤＩに従ったデータ構造を有し、医用画像データには医用画像データに対応する関連情報が付帯されている。
【００３５】
次に、動作を説明する。
図４は、医用画像システム１００において実行される医用画像データ登録処理Ａを示すラダーチャートである。この処理は、患者が他の医療機関で作成された可搬媒体４０を、医用画像システム１００を有する医療機関に持参した場合に行われる処理である。
【００３６】
まず、病院情報管理装置１０のメディアドライブ１５に可搬媒体４０がセットされ、制御部１１により、メディアドライブ１５を介して、可搬媒体４０に記憶されている医用画像データ及びその関連情報が読み出される（ステップＳ１）。そして、制御部１１により、医用画像及び関連情報が表示部１３に表示される（ステップＳ２）。
【００３７】
次に、医師は、表示部１３に表示されている関連情報を見ながら、入力部１２から操作することにより、登録オーダ情報の内容として必要な情報を入力する（ステップＳ３）。具体的に、医師は、依頼部門、依頼者、撮影実施日、患者情報（患者ＩＤ、氏名、性別、生年月日等）、撮影装置、手技、部位、方向、体位、撮影技師等の情報を入力する。また、制御部１１により、登録オーダ情報のオーダ番号が採番される。そして、制御部１１の制御に従って、通信部１４により、登録オーダ情報が画像サーバ２０に送信される（ステップＳ４）。画像サーバ２０では、通信部２４により、病院情報管理装置１０から送信された登録オーダ情報が受信され、制御部２１により、登録オーダ情報が記憶装置２６に記憶される。
【００３８】
次に、画像サーバ２０では、メディアドライブ２５に可搬媒体４０がセットされると、制御部２１により、登録オーダ情報に基づいて、メディアドライブ２５を介して可搬媒体４０に記憶されている医用画像データが読み出され（ステップＳ５）、読み出された医用画像データが登録オーダ情報と対応付けられて記憶装置２６に記憶される（ステップＳ６）。具体的には、医用画像データに付帯されている検査インスタンスＵＩＤと、登録オーダ情報に含まれるオーダ番号や患者ＩＤとが対応付けられる。
【００３９】
その後、病院情報管理装置１０では、制御部１１により、患者、検査単位のリストが表示部１３に表示される。医師による入力部１２からの操作により、登録オーダ情報のうち、オーダ番号、患者ＩＤ、患者氏名等が指定されると、制御部１１の制御に従って、通信部１４により、画像サーバ２０に対して、指定された登録オーダ情報に対応する医用画像データの取得要求が送信される（ステップＳ７）。
【００４０】
画像サーバ２０では、通信部２４により、病院情報管理装置１０から送信された医用画像データの取得要求が受信される。そして、制御部２１により、指定された登録オーダ情報に対応する医用画像データが記憶装置２６から読み出され、通信部２４により、医用画像データが病院情報管理装置１０に送信される（ステップＳ８）。
【００４１】
病院情報管理装置１０では、通信部１４により、画像サーバ２０から送信された医用画像データが受信され、制御部１１により、医用画像が表示部１３に表示される（ステップＳ９）。
以上で、医用画像データ登録処理Ａが終了する。
【００４２】
以上説明したように、第１の実施の形態の医用画像システム１００によれば、病院情報管理装置１０において入力された登録オーダ情報に基づいて、他の医療機関で作成された可搬媒体４０から読み出した医用画像データを登録オーダ情報と対応付けて画像サーバ２０の記憶装置２６に記憶させるので、可搬媒体４０に記憶されている医用画像データを容易に利用することができる。したがって、他の医療機関で生成された医用画像データについても、医用画像システム１００の撮影ワークフローに従って生成された医用画像データと同様に扱うことが可能となる。
【００４３】
［第２の実施の形態］
次に、本発明を適用した第２の実施の形態について説明する。
第２の実施の形態における医用画像システムは、第１の実施の形態に示した医用画像システム１００と同様の構成によってなるため、同一の構成部分については同一の符号を付し、その構成については図示及び説明を省略する。以下、第２の実施の形態に特徴的な構成及び処理について説明する。
【００４４】
第１の実施の形態では、病院情報管理装置１０において、医師が表示部１３に表示された関連情報を見ながら登録オーダ情報を入力部１２から入力することとしたが、第２の実施の形態では、可搬媒体４０に記憶されている医用画像データの関連情報に基づいて、自動的に登録オーダ情報を生成する場合について説明する。
【００４５】
病院情報管理装置１０の制御部１１は、医用画像データ及び当該医用画像データの関連情報が記憶されている可搬媒体４０から関連情報を読み出し、読み出された関連情報に基づいて、画像サーバ２０に対して可搬媒体４０に記憶されている医用画像データの登録を指示する登録オーダ情報を生成する。
【００４６】
通信部１４は、制御部１１により生成された登録オーダ情報を画像サーバ２０に送信する。
【００４７】
次に、動作を説明する。
図５は、第２の実施の形態の医用画像システムにおいて実行される医用画像データ登録処理Ｂを示すラダーチャートである。この処理は、患者が他の医療機関で作成された可搬媒体４０を持参した場合に行われる処理である。
【００４８】
まず、病院情報管理装置１０のメディアドライブ１５に可搬媒体４０がセットされ、制御部１１により、メディアドライブ１５を介して、可搬媒体４０に記憶されている関連情報が読み出される（ステップＳ１１）。
【００４９】
次に、制御部１１により、読み出された関連情報の中から登録オーダ情報の内容として必要な情報が抽出される（ステップＳ１２）。具体的には、依頼部門、依頼者、撮影実施日、患者情報（患者ＩＤ、氏名、性別、生年月日等）、撮影装置、手技、部位、方向、体位、撮影技師等の情報が抽出される。また、制御部１１により、登録オーダ情報のオーダ番号が採番される。
【００５０】
そして、制御部１１により、抽出された各情報及びオーダ番号に基づいて、登録オーダ情報が自動的に生成される（ステップＳ１３）。
【００５１】
以下、ステップＳ１４〜ステップＳ１９の処理は、第１の実施の形態で説明した医用画像データ登録処理ＡのステップＳ４〜ステップＳ９の処理と同様であるため、説明を省略する。
【００５２】
以上説明したように、第２の実施の形態の医用画像システムによれば、病院情報管理装置１０において生成された登録オーダ情報に基づいて、他の医療機関で作成された可搬媒体４０から読み出した医用画像データを登録オーダ情報と対応付けて画像サーバ２０の記憶装置２６に記憶させるので、可搬媒体４０に記憶されている医用画像データを容易に利用することができる。したがって、他の医療機関で生成された医用画像データについても、医用画像システムの撮影ワークフローに従って生成された医用画像データと同様に扱うことが可能となる。また、可搬媒体４０に記憶されている医用画像データの関連情報に基づいて登録オーダ情報を生成するので、人がデータを手入力する場合と比較して、データの入力ミスを防ぐことができる。
【００５３】
なお、上記各実施の形態における記述は、本発明に係る医用画像システムの一例であり、これに限定されるものではない。システムを構成する各装置の細部構成及び細部動作に関しても適宜変更可能である。
【００５４】
例えば、上記各実施の形態では、病院情報管理装置１０から画像サーバ２０に対して登録オーダ情報を直接送信することとしたが、病院情報管理装置１０からＲＩＳ等の部門システムを介して画像サーバ２０に登録オーダ情報を送信することとしてもよい。
【図面の簡単な説明】
【００５５】
【図１】第１の実施の形態における医用画像システムのシステム構成図である。
【図２】病院情報管理装置の機能的構成を示すブロック図である。
【図３】画像サーバの機能的構成を示すブロック図である。
【図４】第１の実施の形態の医用画像システムにおいて実行される医用画像データ登録処理Ａを示すラダーチャートである。
【図５】第２の実施の形態の医用画像システムにおいて実行される医用画像データ登録処理Ｂを示すラダーチャートである。
【符号の説明】
【００５６】
１０  病院情報管理装置
１１  制御部
１２  入力部
１３  表示部
１４  通信部
１５  メディアドライブ
１６  記憶部
１７  バス
２０  画像サーバ
２１  制御部
２２  入力部
２３  表示部
２４  通信部
２５  メディアドライブ
２６  記憶装置
２７  バス
３０  モダリティ
４０  可搬媒体
１００  医用画像システム
Ｎ  通信ネットワーク
【図１】
2008234288.tif 000003
【図２】
2008234288.tif 000004
【図３】
2008234288.tif 000005
【図４】
2008234288.tif 000006
【図５】
2008234288.tif 000007